(57)【特許請求の範囲】
【請求項１】
情報を入力する入力部が筐体に収納された入力装置において、
前記筐体の内部側上面に添ってキートップ又は中央部の周囲を周回するように配置され、前記入力部で生成された入力情報に応じた電波を放射するアンテナを有することを特徴とする入力装置。
【請求項２】
前記アンテナは、導電性の線材であることを特徴とする請求項１記載の入力装置。
【請求項３】
前記アンテナは、前記筐体の内部側上面に導電体を印刷して構成されたことを特徴とする請求項１記載の入力装置。
【請求項４】
前記筐体は、ケースと上カバーとから構成され、
前記アンテナは、前記上カバーの内面側に配置されたことを特徴とする請求項１乃至３のいずれか一項記載の入力装置。
【請求項５】
前記アンテナに送信信号を供給する通信部は、前記ケース側に取り付けられており、
前記アンテナは、前記通信部とコネクタにより着脱可能とされたことを特徴とする請求項４記載の入力装置。
【請求項６】
前記入力部及び前記通信部とは、コネクタにより着脱可能とされたことを特徴とする請求項４又は５記載の入力装置。
【請求項７】
前記通信部は、前記入力部からの情報をＡＳＫ方式で送信することを特徴とする請求項５乃至６のいずれか一項記載の入力装置。
【請求項８】
前記通信部は、前記入力部からの情報をＦＳＫ方式で送信することを特徴とする請求項５乃至６のいずれか一項記載の入力装置。
【請求項９】
前記通信部は、前記入力部からの情報をＰＳＫ方式で送信することを特徴とする請求項５乃至６のいずれか一項記載の入力装置。
【請求項１０】
前記通信部は、前記入力部からの情報をＳＳ方式で送信することを特徴とする請求項５乃至６のいずれか一項記載の入力装置。
【発明の詳細な説明】
【０００１】
【発明の属する技術分野】
本発明は入力装置に係り、特に、無線通信により入力情報を送出する入力装置に関する。
【０００２】
【従来の技術】
現在、コンピュータシステムの分野においては、周辺機器の接続の簡略化や操作性の向上を目的としてマウスなどの周辺機器をワイヤレス化されつつある。
【０００３】
ワイヤレス化の方法としては、電波式及び赤外線式などが開発されている。マウスなどの座標入力装置においては、その入力位置の自由度が高いことから電波式などが用いられている。
【０００４】
ワイヤレス方式の座標入力装置では、周囲に導電性の物体が存在すると、付加容量がアンテナに加わり、アンテナの送信効率が低下する。このため、電波強度を大きく設定し、所定のレベルを越すと、電波法による許可が必要となる。よって、通常、電波強度は、電波法上許可が不要な最大限の電波強度に設定していた。
【０００５】
【発明が解決しようとする課題】
しかるに、従来の無線式の入力装置では、アンテナが筐体の底面の配置される回路基板上に形成されていた。このため、例えば、スチール製の机の上などで操作を行うと、アンテナ効率が低下して入力装置から出力される電波強度が低下する領域が発生していた。
【０００６】
本発明は上記の点に鑑みてなされたもので、効率よく電波を送信できる入力装置を提供することを目的とする。
【０００７】
【課題を解決するための手段】
本発明は、情報を入力する入力部が筐体に収納された入力装置において、筐体の内部側上面に添ってキートップ又は中央部の周囲を周回するように配置され、入力部で生成された入力情報に応じた電波を放射するアンテナを有することを特徴とする。
【０００８】
本発明によれば、アンテナを筐体内部上面に形成することにより、アンテナへの付加容量を低減でき、アンテナの電波の放射効率を向上させることができる。このため、例えば、放射電波強度を低減することができる。あいは、受信エリアを拡大することができる。
【０００９】
【発明の実施の形態】
図１は本発明の一実施例のシステム構成図を示す。
【００１０】
本実施例では入力装置として、マウス装置を例に説明を行う。本実施例の入力装置１は、例えば、パーソナルコンピュータ２の座標入力に用いられる。パーソナルコンピュータ２は、パーソナルコンピュータ本体１１、キーボード１２、ディスプレイ１３から構成される。キーボード１２は、パーソナルコンピュータ本体１１のＰＳ／２ポートあるいはＵＳＢポートに接続される。キーボード１２は、パーソナルコンピュータ本体１１へのデータの入力あるいはコマンド入力に用いられる。ディスプレイ１３は、ＣＲＴあるいはＬＣＤなどから構成され、パーソナルコンピュータ本体１１から供給される画像データに応じた画像を画面１４上に表示する。
【００１１】
入力装置１は、入力装置本体２１及び受信ユニット２２を含む構成とされている。入力装置本体２１は、使用者の操作に応じた入力座標データを生成し、無線送信する。受信ユニット２２は、ＵＳＢインタフェースなどによりパーソナルコンピュータ本体１１に接続されている。受信ユニット２２は、入力装置本体２１から無線送信された座標入力データを受信し、ＵＳＢインタフェースを介してパーソナルコンピュータ本体１１に供給する。パーソナルコンピュータ本体１１では、例えば、受信ユニット２２からの座標入力データに基づいてポインタの画面１４上の表示位置を制御する。
【００１２】
図２は本発明の一実施例の入力装置本体の分解斜視図、図３は本発明の一実施例の入力装置本体の外観構成図、図４は本発明の一実施例の入力装置本体の断面図、図５は本発明の一実施例のブロック構成図を示す。
【００１３】
入力装置本体２１は、ケース３１、座標検出用回路基板３２、無線通信用回路基板３３、ボール３４、キートップ３５、上カバー３６、アンテナ３７から構成されている。
【００１４】
ケース３１の底面には、ボール保持部４１、回路基板保持部４２、４３、電池保持部４４が設けられている。ボール保持部４１には、ボール３４が回転自在に保持される。ボール保持部４１の底面には、開口部５１が形成されている。開口部５１には、円環状の保持部材６１が係合する。保持部材６１は、開口部５１を閉蓋する。また、保持部材６１には孔部６２が形成されており、孔部６２からは、ボール３４が外部にわずかに露出する構成とされている。ボール３４は、孔部６２から露出し、机などと接触して回転する。
【００１５】
電池保持部４４には、電池５１が保持される。電池５１は、座標検出用回路基板３２及び無線通信用回路基板３３に駆動電源を供給する。電池保持部４４は、ケース３１の底面側が開放されており、電池５１の交換が可能な構成とされている。電池保持部４４の開放面には、電池カバー４６が取り付けられる。
【００１６】
ボール保持部４１の周辺には、回転検出部６３、６４が設けられている。回転検出部６３は、ボール３４のＸ方向の回転を検出する。回転検出部６３は、ボール３４のＹ方向の回転を検出する。
【００１７】
回転検出部６３、６４は、座標検出用回路基板３２に係合する。座標検出用回路基板３２は、回路基板保持部４２に保持されて、回転検出部６３、６４の回転を検出し、座標情報を取得する。座標検出用回路基板３２には、回転検出用検知器７１、７２、スイッチ７３〜７５、信号処理部７６、コネクタ７７が搭載されている。
【００１８】
回転検出用検知器７１は、光電スイッチから構成され、回転検出部６３の回転量に応じたパルス信号を生成する。回転検出部６３と回転検出用検知器７１とで、ロータリエンコーダが構成されている。回転検出用検知器７２は、光電スイッチから構成され、回転検出部６４の回転量に応じたパルス信号を生成する。回転検出部６４と回転検出用検知器７２とで、ロータリエンコーダが構成されている。
【００１９】
回転検出用検知器７１で検出されたパルス信号及び回転検出用検知器７２で検出されたパルス信号は、信号処理部７６に供給される。信号処理部７６は、回転検出用検知器７１、７２から供給されたパルス信号に基づいて座標情報を生成する。
【００２０】
また、信号処理部７６には、スイッチ７３〜７５の状態に応じたスイッチング信号が供給される。信号処理部７６は、スイッチ７３〜７５からのスイッチ信号に応じたスイッチ情報を生成する。
【００２１】
コネクタ７７には、無線通信用回路基板３３に搭載されたコネクタ８１が連結される。信号処理部７６で生成された座標情報及びスイッチ情報は、コネクタ７７、８１を介して無線通信用回路基板３３に供給される。
【００２２】
無線通信用回路基板３３は、無線通信部８２を有する。無線通信部８２は、  座標検出用回路基板３２からの座標情報及びボタン操作情報をＡＳＫ方式、ＦＳＫ方式、ＰＳＫ方式或いはＳＳ方式で通信する。無線通信部８２で変調された信号は、接続ピン８３に供給される。接続ピン８３は、無線通信回路基板３３に植設されており、アンテナ３７のコネクタ９１が係合する。コネクタ９１は、アンテナ３７の一端に固定されている。
【００２３】
なお、コネクタ９１と接続ピン８３との接続は、上カバー３６とケース３１との組み付け時に行われる。上カバー３６をケース３１の所定の位置に組み付けることでコネクタ９１と接続ピン８３とが自然に係合され、コネクタ９１と接続ピン８３とが接続される。
【００２４】
図６は本発明の一実施例のアンテナの取り付け状態を説明するための図を示す。図６（Ａ）はカバー３６の底面図、図６（Ｂ）はカバー３６の側断面図を示す。
【００２５】
アンテナ３７は、導電体線材から構成され、上カバー３６の内面側にキートップ３５の周囲を周回するように配置されている。なお、アンテナ３７の他端は開放状態とされている。
【００２６】
本実施例の座標入力装置２１は、アンテナ３７を座標入力装置２１の上部に配置した構成とされている。すなわち、机上からできるだけ離れた位置に配置した。これにより、アンテナと机との負荷容量が低減するため、アンテナ効率を向上させることができる。特に、スチール机での影響が顕著であった。アンテナ効率の向上により通信可能なエリアを拡大できる。
【００２７】
図７は本発明の一実施例の受信可能エリアを示す図、図８は座標入力装置の底面側にアンテナを配置した場合の受信エリアを示す図である。
【００２８】
図７に示すように受信できないエリアが局在するものの、図８に示す座標入力装置の底面側にアンテナを配置した場合に比べて受信できない地点が大幅に減少していることがわかる。
【００２９】
なお、本実施例では、アンテナ３７を導電体線材を用いて構成したが、上カバー３６にプリント配線するようにしてもよい。また、本実施例では、接続ピン８３とコネクタ９１とを係合させることにより無線通信用回路基板３３とアンテナ３７との接続を行なったが、取付ネジ１０１及びボス１０２を用いて無線通信用回路基板３３とアンテナ３７との接続を行うようにしてもよい。
【００３０】
図９は本発明の一実施例の変形例の分解斜視図を示す。
【００３１】
本変形例のアンテナ３７´は、上カバー３６に導電材を図６に示すようにプリント配線した構成とされている。アンテナ３７´の一端はボス１０２の周囲にプリント配線された接続パターン１１０に接続されている。
【００３２】
一方、無線通信用回路基板３３は、ボス１０２が貫通する孔部８４の周囲に接続パターン１１１がプリント配線により形成されている。上カバー３６をケース３１に取り付ける際に、導電体製のバネ１２０をボス１０２に嵌合させ、ネジ１０１をボス１０２に螺入する。
【００３３】
ネジ１０１をボス１０２に螺入することによりバネ１２０が圧縮される。このとき、バネ１２０の一端は、ボス１０２の周囲に形成された接続パターン１１０に接続され、バネ１２０の他端は、無線通信用回路基板３３の孔部８４の周囲に形成された接続パターン１１１に接続される。このため、バネ１２０を介して無線通信用回路基板３３とアンテナ３７とが接続される。
【００３４】
なお、アンテナ３７と無線通信用回路基板３３との接続方法は、上記方法に限定されるものではなく、他にアンテナ３７と無線通信用回路基板３３とを予め接続した状態で、上カバー３６側に固定し、上カバー３６をケース３１に取り付ける際に、座標検出用回路基板３２のコネクタ７７と無線通信用回路基板３３のコネクタ８１とを接続することにより、接続を完了するようにしてもよい。
【００３５】
要は、ケース３１に上カバー３６を組み付ける際にケース３１側の回路と上カバー３６に側の回路とが簡単に接続できる構造であればよい。
【００３６】
また、上記実施例では、アンテナ３７、３７´をキートップ３５の周囲を周回するように配置したが、上カバー３６の中央部で周回させるようにしてもよい。
図１０は本発明の一実施例の他の変形例の斜視図、図１１は本発明の一実施例の他の変形例の上カバーの構成図を示す。
【００３７】
本変形例では、アンテナ３７”は、上カバー３６の略中央部で周回した構成とされている。本変形例によれば、アンテナ３７”を底面から離れた位置に配置できるので、アンテナと机との負荷容量を低減でき、電波の送信効率を向上させることができる。
【００３８】
また、実施例はボールの回転を検出することにより座標を検出する接触型座標検知手段を用いたが、赤外線などの反射により座標を検出する非接触型座標検知手段を用いるようにしてもよい。
【００３９】
上記実施例では、座標入力装置としてマウスを例にとって説明したが、トラックボールなど他の座標入力装置に適用することも可能である。
【００４０】
【発明の効果】
上述の如く、本発明によれば、アンテナを筐体内部上面に形成することにより、アンテナへの机との負荷容量を低減でき、アンテナの電波の放射効率を向上させることができるため、放射電波強度を低減することができ、また、受信エリアを拡大することができる等の特長を有する。
【図面の簡単な説明】
【図１】本発明の一実施例のシステム構成図である。
【図２】本発明の一実施例の入力装置本体の分解斜視図である。
【図３】本発明の一実施例の入力装置本体の外観構成図である。
【図４】本発明の一実施例の入力装置本体の断面図である。
【図５】本発明の一実施例のブロック構成図である。
【図６】本発明の一実施例の上カバーの構成図である。
【図７】本発明の一実施例の受信可能エリアを示す図である。
【図８】座標入力装置の底面側にアンテナを配置した場合の受信エリアを示す図である。
【図９】本発明の一実施例の変形例の分解斜視図である。
【図１０】本発明の一実施例の他の変形例の斜視図である。
【図１１】本発明の一実施例の他の変形例の上カバーの構成図である。
【符号の説明】
１  座標入力装置
２  パーソナルコンピュータ
１１  パーソナルコンピュータ本体
１２  キーボード
１３  ディスプレイ
２１  座標入力装置本体
２２  受信ユニット
３１  ケース
３２  座標検出用回路基板
３３  無線通信用回路基板
３４  ボール
３５  キートップ
３６  上カバー
３７  アンテナ
７７、８１、９１  コネクタ
８３  接続ピン
【図１】
0004588921.tif 000002
【図２】
0004588921.tif 000003
【図３】
0004588921.tif 000004
【図４】
0004588921.tif 000005
【図５】
0004588921.tif 000006
【図６】
0004588921.tif 000007
【図７】
0004588921.tif 000008
【図８】
0004588921.tif 000009
【図９】
0004588921.tif 000010
【図１０】
0004588921.tif 000011
【図１１】
0004588921.tif 000012